【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
車両に両端部のそれぞれが固定されるウエビングと、
前記ウエビングが挿通されるウエビング挿通孔が形成され、前記ウエビングが前記ウエビング挿通孔に挿通されることで、前記ウエビングにその長手方向に沿って移動可能に設けられたタングと、
車両に固定され、前記タングが連結固定されるバックルと、
前記ウエビングに設けられて、前記タングの移動を規制するタングストッパと、
を備え、
前記タングストッパは、前記ウエビングの一方主面側で、位置規制された前記タングの少なくとも一部を覆う音抑制部材を含み、
前記音抑制部材は前記ウエビングの幅方向において前記ウエビングよりも広く形成されるとともに、前記ウエビングの幅方向における両端に環状の折返し部が設けられ、
前記音抑制部材のうち少なくとも前記タング側の部分は、前記ウエビングの一方主面から離れる方向に移動可能に設けられ、
前記タングの前記ウエビング挿通孔よりも前記ウエビングの幅方向端部側の少なくとも一部が、前記ウエビングの一方主面から離れる方向に移動した前記折り返し部に覆われている、シートベルト装置。
【請求項２】
請求項１記載のシートベルト装置であって、
前記音抑制部材は、前記ウエビングの長手方向に対して交差する姿勢で配設された帯状材によって構成されている、シートベルト装置。
【請求項３】
請求項１又は請求項２記載のシートベルト装置であって、
前記ウエビングの幅方向における前記音抑制部材の寸法は、前記タングの幅と同じ又はそれ以上の大きさである、シートベルト装置。
【請求項４】
請求項１〜請求項３のいずれか１つに記載のシートベルト装置であって、
前記音抑制部材は、前記ウエビングに直接接合されている、シートベルト装置。
【請求項５】
請求項４記載のシートベルト装置であって、
前記音抑制部材は、前記ウエビングの長手方向における前記音抑制部材の中央部から前記タングの反対側にずれた位置で前記ウエビングに接合されている、シートベルト装置。
【請求項６】
請求項１〜請求項３のいずれか１つに記載のシートベルト装置であって、
前記音抑制部材は、前記ウエビングに接合された連結部材を介して前記ウエビングに連結されている、シートベルト装置。
【請求項７】
請求項６記載のシートベルト装置であって、
前記連結部材は、前記ウエビングの一方主面から離れる方向に移動可能に前記音抑制部材を連結支持する、シートベルト装置。
【請求項８】
請求項１〜７のいずれか１つに記載のシートベルト装置であって、
前記音抑制部材は、帯状材を、前記両端の前記折返し部で折返すことによって形成されている、シートベルト装置。
【請求項９】
請求項８記載のシートベルト装置であって、
前記音抑制部材は、前記帯状材を前記折返し部で折返した状態で保持する折返し接合部を含み、
前記音抑制部材は、前記折返し接合部とは別の接合部を介して前記ウエビング側の部材に接合されている、シートベルト装置。
【請求項１０】
請求項９記載のシートベルト装置であって、
前記折返し接合部は、前記帯状材の端縁部に沿った方向に形成された縦接合部を含む、シートベルト装置。
【請求項１１】
請求項９又は請求項１０記載のシートベルト装置であって、
前記折返し接合部は、前記帯状材の両端の折返し部を結ぶ方向に沿って形成された横接合部を含む、シートベルト装置。
【請求項１２】
請求項８〜請求項１１のいずれか１つに記載のシートベルト装置であって、
前記帯状材の両端縁部が、取付対象となる部材側に位置している、シートベルト装置。
【請求項１３】
請求項１〜７のいずれか１つに記載のシートベルト装置であって、
前記音抑制部材は、環状部材を、前記両端の前記折返し部で折返すように、扁平形状に形成したものである、シートベルト装置。
【手続補正２】
【補正対象書類名】明細書
【補正対象項目名】０００６
【補正方法】変更
【補正の内容】
【０００６】
上記課題を解決するため、第１の態様は、車両に両端部のそれぞれが固定されるウエビングと、前記ウエビングが挿通されるウエビング挿通孔が形成され、前記ウエビングが前記ウエビング挿通孔に挿通されることで、前記ウエビングにその長手方向に沿って移動可能に設けられたタングと、車両に固定され、前記タングが連結固定されるバックルと、前記ウエビングに設けられて、前記タングの移動を規制するタングストッパと、を備え、前記タングストッパは、前記ウエビングの一方主面側で、位置規制された前記タングの少なくとも一部を覆う音抑制部材を含み、前記音抑制部材は前記ウエビングの幅方向において前記ウエビングよりも広く形成されるとともに、前記ウエビングの幅方向における両端に環状の折返し部が設けられ、前記音抑制部材のうち少なくとも前記タング側の部分は、前記ウエビングの一方主面から離れる方向に移動可能に設けられ、前記タングの前記ウエビング挿通孔よりも前記ウエビングの幅方向端部側の少なくとも一部が、前記ウエビングの一方主面から離れる方向に移動した前記折り返し部に覆われている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
第４の態様は、第１〜第３のいずれか１つの態様に係るシートベルト装置であって、前記音抑制部材は、前記ウエビングに直接接合されている。
【手続補正５】
【補正対象書類名】明細書
【補正対象項目名】００１１
【補正方法】変更
【補正の内容】
【００１１】
第５の態様は、第４の態様に係るシートベルト装置であって、前記音抑制部材は、前記ウエビングの長手方向における前記音抑制部材の中央部から前記タングの反対側にずれた位置で前記ウエビングに接合されている。
【手続補正６】
【補正対象書類名】明細書
【補正対象項目名】００１２
【補正方法】変更
【補正の内容】
【００１２】
第６の態様は、第１〜第３のいずれか１つの態様に係るシートベルト装置であって、前記音抑制部材は、前記ウエビングに接合された連結部材を介して前記ウエビングに連結されている。
【手続補正７】
【補正対象書類名】明細書
【補正対象項目名】００１３
【補正方法】変更
【補正の内容】
【００１３】
第７の態様は、第６の態様に係るシートベルト装置であって、前記連結部材は、前記ウエビングの一方主面から離れる方向に移動可能に前記音抑制部材を連結支持する。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
第８の態様は、第１〜第７のいずれか１つの態様に係るシートベルト装置であって、前記音抑制部材は、帯状材を、前記両端の前記折返し部で折返すことによって形成されている。
【手続補正１０】
【補正対象書類名】明細書
【補正対象項目名】００１６
【補正方法】変更
【補正の内容】
【００１６】
第９の態様は、第８の態様に係るシートベルト装置であって、前記音抑制部材は、前記帯状材を前記折返し部で折返した状態で保持する折返し接合部を含み、前記音抑制部材は、前記折返し接合部とは別の接合部を介して前記ウエビング側の部材に接合されている。
【手続補正１１】
【補正対象書類名】明細書
【補正対象項目名】００１７
【補正方法】変更
【補正の内容】
【００１７】
第１０の態様は、第９の態様に係るシートベルト装置であって、前記折返し接合部は、前記帯状材の端縁部に沿った方向に形成された縦接合部を含む。
【手続補正１２】
【補正対象書類名】明細書
【補正対象項目名】００１８
【補正方法】変更
【補正の内容】
【００１８】
第１１の態様は、第９又は第１０の態様に係るシートベルト装置であって、前記折返し接合部は、前記帯状材の両端の折返し部を結ぶ方向に沿って形成された横接合部を含む。
【手続補正１３】
【補正対象書類名】明細書
【補正対象項目名】００１９
【補正方法】変更
【補正の内容】
【００１９】
第１２の態様は、第８〜第１１のいずれか１つの態様に係るシートベルト装置であって、前記帯状材の両端縁部が、取付対象となる部材側に位置している。
【手続補正１４】
【補正対象書類名】明細書
【補正対象項目名】００２０
【補正方法】変更
【補正の内容】
【００２０】
第１３の態様は、第１〜第７のいずれか１つの態様に係るシートベルト装置であって、前記音抑制部材は、環状部材を、前記両端の前記折返し部で折返すように、扁平形状に形成したものである。
【手続補正１５】
【補正対象書類名】明細書
【補正対象項目名】００２４
【補正方法】変更
【補正の内容】
【００２４】
第１の態様によると、音抑制部材は、前記ウエビングの一方主面側で、位置規制された前記タングをより確実に覆うことができる。
【手続補正１６】
【補正対象書類名】明細書
【補正対象項目名】００２５
【補正方法】変更
【補正の内容】
【００２５】
第４の態様によると、音抑制部材は、ウエビングに直接接合されているため、構成を簡易化できる。
【手続補正１７】
【補正対象書類名】明細書
【補正対象項目名】００２６
【補正方法】変更
【補正の内容】
【００２６】
第５の態様によると、音抑制部材のうち前記タング側の部分は、前記ウエビングから離れる方向に移動可能となるため、音抑制部材は、前記ウエビングの一方主面側で、位置規制された前記タングをより確実に覆うことができる。
【手続補正１８】
【補正対象書類名】明細書
【補正対象項目名】００２７
【補正方法】変更
【補正の内容】
【００２７】
第６の態様によると、音抑制部材とウエビングとの連結状態に自由度を持たせることができる。
【手続補正１９】
【補正対象書類名】明細書
【補正対象項目名】００２８
【補正方法】変更
【補正の内容】
【００２８】
第７の態様によると、音抑制部材の多くの領域を前記ウエビングの一方主面から離れる方向に移動可能にすることができるので、音抑制部材がタングを覆う領域をより大きくすることができる。
【手続補正２０】
【補正対象書類名】明細書
【補正対象項目名】００２９
【補正方法】変更
【補正の内容】
【００２９】
第１の態様によると、折返し部によって衝撃を緩和することで、タングと内装部材等との接触による異音を効果的に抑制できる。
【手続補正２１】
【補正対象書類名】明細書
【補正対象項目名】００３０
【補正方法】変更
【補正の内容】
【００３０】
第８の態様によると、音抑制部材を容易に形成できる。
【手続補正２２】
【補正対象書類名】明細書
【補正対象項目名】００３１
【補正方法】変更
【補正の内容】
【００３１】
第９の態様によると、前記折返し部で折返した状態で保持した状態で、音抑制部材を容易にウエビングに接合することができる。
【手続補正２３】
【補正対象書類名】明細書
【補正対象項目名】００３２
【補正方法】変更
【補正の内容】
【００３２】
第１０の態様によると、前記帯状材の両端縁部を、帯状材の長手方向中間部により確実に接合した状態に維持できる。
【手続補正２４】
【補正対象書類名】明細書
【補正対象項目名】００３３
【補正方法】変更
【補正の内容】
【００３３】
第１１の態様によると、前記帯状材の両端の折返し部を結ぶ方向において、帯状材を折返した状態により確実に維持できる。
【手続補正２５】
【補正対象書類名】明細書
【補正対象項目名】００３４
【補正方法】変更
【補正の内容】
【００３４】
第１２の態様によると、前記帯状材の両端縁部を見え難くすることができる。
【手続補正２６】
【補正対象書類名】明細書
【補正対象項目名】００３５
【補正方法】変更
【補正の内容】
【００３５】
第１３の態様によると、折返し部を有する音抑制部材を容易に形成できる。
【手続補正２７】
【補正対象書類名】明細書
【補正対象項目名】００６０
【補正方法】変更
【補正の内容】
【００６０】
音抑制部材３２の幅Ｗ３は、ウエビング１５の幅Ｗ１よりも大きく設定されている（図４参照）。好ましくは、音抑制部材３２の幅Ｗ３は、タング２０の最大幅Ｗ２と同じかこれよりも大きく設定されていることが好ましく、ここでは、タング２０の最大幅Ｗ２よりも大きく設定されている例で説明する。そして、音抑制部材３２は、タングストッパ３０によって位置規制されたタング２０のうちウエビング挿通孔２１ｈに近い部分を、その幅方向全体に亘って覆えるようになっている。ウエビング１５の長手方向における音抑制部材３２の寸法は、例えば、５０ｍｍにするとよい。